(57)【特許請求の範囲】
【請求項１】
鍵孔を有する前面板の後方にロータが配置され、このロータの後方にラッチ軸が突出し、ロータの前端側に係合部と、この係合部の前端から前方へ突出するガイド棒とを具備する錠と、
この錠の前記ガイド棒を受け入れるように先端側に開口した筒部と、この筒部の外周から半径方向へ突出する翼部と、この翼部の先端部から前記筒部の先端よりも長く軸方向先端側へ突出する係合突部とを有し、前記鍵孔に挿入可能なキーとからなり、
前記ロータの係合部は、軸周りに相互にほぼ９０°離れた位置に施錠方向当接面と解錠方向当接面とを有し、
前記キーの係合突部は、前記筒部の先端が前記錠の係合部の前端へ当接するまでキーを前記鍵孔内へ挿入した操作位置において、キーを軸周りに右または左へ回転させるとき、係合部のいずれかの当接面に当接して前記ロータを回転操作できるように構成される錠装置において、
前記錠のガイド棒の外周の一部に、半径方向に突出する規制突起が設けられ、
前記キーの筒部には、切欠部が形成され、この切欠部は、キーを前記鍵孔へ挿入したとき前記ロータの規制突起を回避して前記操作位置までキーの挿入を許容し、かつ軸周りほぼ９０°の範囲でキーの前記ガイド棒との相対回転を許容することで、前記ロータの回転操作を可能とすることを特徴とする錠装置。
【請求項２】
前記錠の前面板には、表示窓が形成され、前記ロータには、施錠又は解錠位置において表示窓から目視可能な着色表示部が設けられることを特徴とする請求項1に記載の錠装置。
【発明の詳細な説明】
【技術分野】
【０００１】
鉄道車両では、長年にわたり、忍び錠と称される共通の錠が運転室ドア、配電盤ドア、その他に設置されており、共通の鍵により施解錠操作が行われている。本発明は、このような錠と鍵からなる錠装置に関する。
【背景技術】
【０００２】
鉄道車両等で用いられる忍び錠の一例を図９に示す。図９において、錠３１は、鍵孔３２ａを有する前面板３２の後方に配置されるロータ３３を有する。ロータ３３の後方にラッチ軸３６が突出し、これにラッチ３５が固着される。ロータ３３は、前端側に係合部３６を有し、さらにこの係合部３６の前端３６ｃから前方へ突出するガイド棒３７を具備する。
キー４０の軸は、ロータ３３のガイド棒３７を受け入れるように先端側へ開口した筒部４０と、この筒部４０の外周に半径方向へ突出する翼部４１と、翼部４１から先端方向へ突出する係合突部４２とを具備し、鍵孔３２ａに適合する断面形状を持つ。係合突部４２の先端部は、筒部４０の先端よりも軸方向先端側へ突出している。
ロータ３３の係合部３６は、軸周りに相互に９０°離れた位置に、施錠方向当接面３６ａと解錠方向当接面３６ｂとを有する。
キー３８の軸を、筒部４０の先端が係合部３６の前面３６ｃに当接する位置（操作位置）まで、鍵孔３２ａ内へ挿入した状態で、軸周りに右または左へ回転させると、係合突部４２が、係合部３６のいずれかの当接面３６ａ，３６ｂに当接してロータ３３を回転操作できるように構成される。
図において、ラッチ３５はロック位置にある。キー３８を挿入して、これを時計方向へ９０回転させると、係合突部４２が、ロータ３３の当接面３６ａに当接してロータ３３を回転させ、ラッチ３５を非ロック位置に持ち来す。キー３８は、そこから９０°戻して鍵孔３２ａから抜き取る。
【先行技術文献】
【特許文献】
【０００３】
出願人は先行技術文献を見出せなかった。
【発明の概要】
【発明が解決しようとする課題】
【０００４】
従来、各所に設置される忍び錠が、長年にわたって共通の鍵により施解錠操作されるので、鍵の盗難や複製による不法解錠に対して脆弱である。そこで、セキュリティを高めるために、錠の構造を変更することが望まれている。しかしながら、将来にわたって、新構造の錠を設置していくとしても、既に設置されている多数の旧構造の錠に共用できるキーがないと、業務の運営に支障を来すおそれがある。
したがって、この出願に係る発明は、従来のキーでは施解錠操作ができない錠装置であって、これを施解錠するための新たなキーで、旧構造の錠も支障なく施解錠することができるものを提供することを目的としている。
【課題を解決するための手段】
【０００５】
以下、添付図面の符号を参照して説明するが、本発明はこれに限定されるものではない。
上記課題を解決するための、この出願に係る発明の錠装置は、錠１と、これを施解錠操作するキー２とからなる。鍵孔７ａを有する前面板７の後方にロータ４が配置される。ロータ４の後方にラッチ軸８が突出し、前端側に係合部９と、この係合部９の前端から前方へ突出するガイド棒１０とを具備する。キー２は、錠のガイド棒１０を受け入れるように先端側に開口した筒部１４と、この筒部の外周から半径方向へ突出する翼部１５と、この翼部１５の先端部から筒部１４の先端よりも長く軸方向先端側へ突出する係合突部１６とを有する。ロータ４の係合部９は、軸周りに相互にほぼ９０°離れた位置に施錠方向当接面９ａと解錠方向当接面９ｂとを有する。キー２の筒部１４の先端が錠の係合部９の前端９ｃへ当接するまでキー２を鍵孔内７ａへ挿入した操作位置において、キー２を軸周りに右または左へ回転させるとき、係合部９のいずれかの当接面９ａ、９ｂに係合突起１６が当接してロータ４を回転操作できる。錠のガイド棒１０の外周の一部に、半径方向に突出する規制突起１１が設けられる。キーの筒部１４には、切欠部１４ａが形成され、この切欠部１４ａは、キー２を鍵孔７ａへ挿入したとき、ロータ４の規制突起１１を回避して操作位置までキー２の挿入を許容し、かつ軸周りほぼ９０°の範囲でキーのガイド棒１０との相対回転を許容することで、ロータ４の回転操作を可能とする。
切欠部１４ａを有しない旧来のキーは、規制突起１１により操作位置までの挿入が困難であるから、施解錠操作を行えない。切欠部１４ａを有するキー２は、規制突起を有しない旧来の錠装置の施解錠操作を支障なく行える。
【発明の効果】
【０００６】
この出願に係る発明によれば、従来のキーでは施解錠操作ができない錠前であって、これを施解錠するための新たなキーで、旧構造の錠前も支障なく施解錠することができるものを提供することができる。
【図面の簡単な説明】
【０００７】
【図１】本発明に係る錠装置の分解斜視図である。
【図２】図１の錠装置の断面図である。
【図３】図１の錠装置におけるロータの斜視図である。
【図４】図１の錠装置におけるロータの正面図である。
【図５】図１の錠装置におけるロータの底面図である。
【図６】本発明に係る錠装置のキーと従来の錠装置のキーとを対比して示す一部の概略的斜視図である。
【図７】本発明に係る錠装置に対するキーの適用可能性を説明する図である。
【図８】本発明に係る錠装置と従来の錠装置とを対比して示し、キーの適用可能性を説明する図である。
【図９】従来の錠装置の概略的分解斜視図である。
【発明を実施するための形態】
【０００８】
図面を参照してこの発明の実施の形態を説明する。
錠装置は、錠１と、これを施解錠操作するキー２とからなる。錠１は、扉等に固着されるケース３と、ケース３内に収納されるロータ４と、ロータ４に固着されるラッチ５とを具備する。
【０００９】
ケース３は、ロータ４を収容する筒部６と、筒部６の前端を閉じる前面板７とを具備する。前面板７は、鍵孔７ａと、表示窓７ｂを有する。
【００１０】
ロータ４は、ケース３内において施錠位置と解錠位置との間で軸周りに９０°正逆回転自在で、ケース３の後方へ突出するラッチ軸８を有する。このラッチ軸８にラッチ５が取り付けられる。ロータ４の前端側には、係合部９と、この係合部９の前端９ｃから前方へ突出するガイド棒１０とを具備する。ガイド棒１０の周りには、半径方向に間隔を置いて前方へ立ち上がるほぼ円弧状の周壁１２が設けられる。周壁１２の前端面には、ロータ４が施錠位置にあるときに前面板７の表示窓７ｂに対応する位置に、施錠状態を表示する着色表示部１３が形成される。
【００１１】
ロータの係合部９は、軸周りに相互にほぼ９０°離れた位置に施錠方向当接面９ａと解錠方向当接面９ｂとを有する。
【００１２】
ガイド棒１０の外周の一部には、半径方向に突出する規制突起１１が設けられる。
【００１３】
キー２の軸部は、錠１のガイド棒１０を受け入れるように先端側に開口した筒部１４と、この筒部１４の外周から半径方向へ突出する翼部１５と、この翼部１５の軸方向先端から筒部１４の先端よりも長く先端側へ突出する係合突部１６とを有する。係合突部１６は、筒部１４の外周から半径方向へ離れた位置から軸方向へ突出する。キー２の先端部は、鍵孔７ａへ挿入可能な断面形状である。
【００１４】
筒部１４の先端が錠の係合部９の前端９ｃへ当接する操作位置までキー２を鍵孔７ａ内へ挿入した状態で、キー２を軸周りに右または左へ回転させるとき、係合突部１６が係合部９のいずれかの当接面９ａ、９ｂに当接して、ロータ４を回転操作できるように構成される。
【００１５】
キー２の筒部１４の先端部には、切欠部１４ａが形成される。切欠部１４ａは、キー２を鍵孔７ａへ挿入したとき、ロータ４の規制突起１１を回避して、操作位置までの挿入を許容すると共に、軸周りほぼ９０°の範囲で、キー２とガイド棒１０との相対回転を許容することでロータの回転操作を可能とする。
【００１６】
図１において、ラッチ１０は非ロック位置にある。図６（Ａ）に示すように、キー２の筒部１４の先端がロータ４の係合部９の前面９ｃに当接するまで、キー２を鍵孔７ａ内へ挿入した状態で、これを時計方向へ９０回転させると、係合突部９が、ロータ４の当接面９ａに当接してこれを回転させ、ラッチ５をロック位置に持ち来す。キー２は、そこから９０°戻して鍵孔７ａから抜き取る。ラッチ５は、図示しない保持機構によりロック位置又は非ロック位置に保持される。ロータ４がロック位置に来ると、着色表示部１３がケース３の表示窓７ｂから目視可能となり、ロック状態を外部から確認することができる。ラッチ５をロック位置に持ち来すには、その逆の操作を行う。
【００１７】
図６（Ｂ）に示すように、ロータ４に対して従来のキー３８を用いて回転操作を試みると、軸の先端が規制突起１１に当接するので、それが係合部９の前面９ｃに当接するに至らない。このため、キー３８を鍵孔７ａ内で回転させることができず、したがって、ロータ４を回転させることができない。図７は、実線矢印で錠１，３１へのキー３８の適用可能性を示す。点線矢印は、適用不可能であることを示す。
【００１８】
これに対して、キー２は、図７に実線矢印で示すように、規制突起１１を持たない従来の錠３１にも適用可能である。このため、本発明に係る錠前装置を新たに設置した場合においても、既に各所に多数設置されている従来の錠前３１に対してキー２を適用できるので、業務の遂行に支障を来すことがない。
【符号の説明】
【００１９】
１    錠
２    キー
３    ケース
４    ロータ
５    ラッチ
６    筒部
７    前面板
７ａ  鍵孔
７ｂ  表示窓
８    ラッチ軸
９    係合部
９ａ  解錠方向当接面
９ｂ  施錠方向当接面
９ｃ  前端
１０  ガイド棒部
１１  規制突起
１２  周壁
１３  着色表示部
１４  筒部
１４ａ  切欠部
１５  翼部
１６  係合突部
【図１】
0005291761.tif 000002
【図２】
0005291761.tif 000003
【図３】
0005291761.tif 000004
【図４】
0005291761.tif 000005
【図５】
0005291761.tif 000006
【図６】
0005291761.tif 000007
【図７】
0005291761.tif 000008
【図８】
0005291761.tif 000009
【図９】
0005291761.tif 000010